(57)【要約】【課題】本発明の課題は、保護枠に保温ヒータが設けられている炊飯器の電線にかかるコストを低減することができる構造を提供することにある。【解決手段】  本発明に係る炊飯器１００は、内鍋１３０と、前記内鍋を収容する内鍋収容部ＰＡと、前記内鍋収容部の上部から水平方向に向かって延びるフランジ部ＦＰと、を備え、前記フランジ部には、電線ＳＬを案内する電線案内部ＧＰが設けられている。なお、ここで、電線案内部は、フランジ部を上下方向に貫通する一対の貫通孔ＧＰであることが好ましく、フランジ部に取っ手１１２の軸１１２ｂを嵌合させる被嵌合部Ｃｐが設けられる場合、その一対の貫通孔は、被嵌合部を挟むように形成されるのが好ましい。【選択図】図９
2020192078.tif 000002
【特許請求の範囲】
【請求項１】
内鍋と、
前記内鍋を収容する内鍋収容部と、
前記内鍋収容部の上部から水平方向に向かって延びるフランジ部と、を備え、
前記フランジ部には、電線を案内する電線案内部が設けられている
炊飯器。
【請求項２】
前記電線には、電源線および信号線が含まれており、
前記電線案内部は、前記信号線のみを案内する、請求項１に記載の炊飯器。
【請求項３】
軸を有する取っ手をさらに備え、
前記フランジ部には、前記取っ手の前記軸が嵌合される被嵌合部が形成されており、
前記電線案内部は、前記電線が前記被嵌合部を迂回するように前記電線を案内する、請求項１または２に記載の炊飯器。
【請求項４】
前記フランジ部の上側に配設される上側部材をさらに備え、
前記電線案内部は、前記フランジ部と前記上側部材との間に前記電線を案内する、請求項１から３のいずれか１項に記載の炊飯器。
【請求項５】
前記案内部は、上下方向成分を含む方向に沿って前記フランジ部を貫通する少なくとも２つの貫通孔である、請求項１から４のいずれか１項に記載の炊飯器。
【発明の詳細な説明】
【技術分野】
【０００１】
本発明は、炊飯器に関する。
【背景技術】
【０００２】
過去に「炊飯器において、保護枠にフランジ部を設け、そのフランジ部により肩部材の形状を安定化させること」が提案されている（例えば、特開２０１７−１９２５３１号公報等参照）。
【先行技術文献】
【特許文献】
【０００３】
【特許文献１】特開２０１７−１９２５３１号公報
【発明の概要】
【発明が解決しようとする課題】
【０００４】
ところで、炊飯器において保護枠の近傍には多数の電線が通っている。また、フランジ付き保護枠のフランジ部のすぐ下側に保温ヒータが配設されている場合がある。かかる場合、電線が保温ヒータの近傍を通ることがあるが、その際、電線の被覆材の耐熱性が低いと被覆材が溶けたり劣化したりしてしまって金属線等が露出する等、様々な不具合が生じ得る。このため、上述のような炊飯器では、比較的高い耐熱性を有する被覆材で被覆された電線を使用する必要があり、電線にかかるコストが比較的嵩む問題がある。
【０００５】
本発明の課題は、保護枠に保温ヒータが設けられている炊飯器の電線にかかるコストを低減することができる構造を提供することにある。
【課題を解決するための手段】
【０００６】
本発明に係る炊飯器は、
内鍋と、
前記内鍋を収容する内鍋収容部と、
前記内鍋収容部の上部から水平方向に向かって延びるフランジ部と、を備え、
前記フランジ部には、電線を案内する電線案内部が設けられている。
【０００７】
上記構成によれば、保護枠の内鍋収容部に保温ヒータが配設されている炊飯器において、電線案内部により保温ヒータを避けるようにして電線を整線することができる。このため、この炊飯器では、電線の被覆材に高い耐熱性が求められず、比較的低コストの電線を利用することができる。したがって、この炊飯器では、電線にかかるコストを低減することができる。
【０００８】
本発明では、
前記電線には、電源線および信号線が含まれており、
前記電線案内部は、前記信号線のみを案内すると好適である。
【０００９】
上記構成によれば、電源線と信号線との間を離すことができる。このため、電源線のノイズが信号線に影響を及ぼしにくくすることができる。
【００１０】
本発明では、
軸を有する取っ手をさらに備え、
前記フランジ部には、前記取っ手の前記軸が嵌合される被嵌合部が形成されており、
前記電線案内部は、前記電線が前記被嵌合部を迂回するように前記電線を案内すると好適である。
【００１１】
上記構成によれば、取っ手の軸を被嵌合部に嵌合する際に取っ手の軸と被嵌合部との間に電線が噛み込んでしまうことを防止することができる。
【００１２】
本発明では、
前記フランジ部の上側に配設される上側部材をさらに備え、
前記電線案内部は、前記フランジ部と前記上側部材との間に前記電線を案内すると好適である。
【００１３】
上記構成によれば、電線を保温ヒータから十分に遠ざけることができる。このため、さらに低コストの電線を利用することができ、延いては電線にかかるコストをさらに低減することができる。
【００１４】
本発明では、
前記案内部は、上下方向成分を含む方向に沿って前記フランジ部を貫通する少なくとも２つの貫通孔であると好適である。
【００１５】
上記構成によれば、比較的堅固なフランジ部で電線を保持することができ、案内部の破損等に対する懸念を低下させることができる。
【図面の簡単な説明】
【００１６】
【図１】本発明の実施の形態に係る炊飯器の正面図である。
【図２】図１のＩ−Ｉ断面図である。
【図３】本発明の実施の形態に係る炊飯器を図２のＩＩ−ＩＩ線で片側だけ切断した部分断面図である。
【図４】本発明の実施の形態に係る炊飯器の本体の筐体から側壁を取り外した状態の左側面図である。
【図５】本発明の実施の形態に係る炊飯器を構成する側壁に取っ手を挿し込んだ状態の上方斜視図である。
【図６】本発明の実施の形態に係る炊飯器を構成する筐体の肩部材、保護枠および基板支持部材から成る組立体の上方分解斜視図である。
【図７】本発明の実施の形態に係る炊飯器を構成する筐体の肩部材、保護枠および基板支持部材から成る組立体の下方分解斜視図である。
【図８】本発明の実施の形態に係る炊飯器を構成する保護枠と、肩部材・保護枠・操作パネルの組立体との平面対比図である。
【図９】本発明の実施の形態に係る炊飯器の本体の筐体から側壁を取り外した状態の左側の部分断面図である。なお、本図の切断面は、電線案内孔を通っている。
【発明を実施するための形態】
【００１７】
＜本発明の実施の形態に係る炊飯器の構造＞
本発明の実施の形態に係る炊飯器１００は、誘導加熱式の圧力炊飯器であって、図１〜図３に示されるように、主に、本体１１０、内鍋１３０、蓋体１４０およびヒンジ機構１５０から構成される。以下、これらの構成要素について詳述する。
【００１８】
１．本体
本体１１０は、図１〜図３に示されるように、主に、筐体１１１、取っ手１１２、断熱材（図示せず）、誘導加熱コイル１１３、保温ヒータＨＴ、フェライトコア組立体１２１、サーミスタ１１４、送風ファン１１５、ヒートシンク１１６、操作パネル１１７、電源回路基板１１８、制御回路基板１１９および自動巻取式電源コードユニット１２０から構成される。以下、これらの構成要素について詳述する。
【００１９】
（１）筐体
筐体１１１は、図１〜図３に示されるように、主に、側壁１１１ａ、底壁１１１ｂ、肩部材１１１ｃ、保護枠１１１ｄおよび基板支持部材１１１ｅから構成されており、断熱材（図示せず）、誘導加熱コイル１１３、フェライトコア組立体１２１、サーミスタ１１４、送風ファン１１５、ヒートシンク１１６、電源回路基板１１８、制御回路基板１１９および自動巻取式電源コードユニット１２０等を収容している。また、肩部材１１１ｃの前側の上側には操作パネル１１７が配設されている。以下、筐体１１１の各構成要素について詳述した後に、肩部材１１１ｃ、保護枠１１１ｄおよび基板支持部材１１１ｅの締結構造について詳述する。
【００２０】
側壁１１１ａは、平面視において略長方形を呈する囲い壁であって、図１および図２に示されるように本体１１０の側面を覆っている。また、この側壁１１１ａには、図５に示されるように取っ手１１２が回動自在に取り付けられる。
【００２１】
底壁１１１ｂは、略方形の板状体であって、図１および図２に示されるように側壁１１１ａの下側に嵌め込まれており、側壁１１１ａの下側の開口を覆っている。そして、この底壁１１１ｂには、図２に示されるように、筐体１１１の外部の空気を内部に吸い込むための吸気口Ｏｓ、および、筐体１１１の内部の空気を外部に排出するための排気口（図示せず）が形成されている。なお、図２に示されるように、吸気口Ｏｓの直上には、送風ファン１１５が配設されている。この送風ファン１１５が駆動されると、吸気口Ｏｓを通って外部の空気が筐体１１１の内部に吸い込まれ、それによって生じる空気流れにより内部の加熱空気が排気口から系外に排出される。
【００２２】
肩部材１１１ｃは、略方形状の枠体であって、図１および図２に示されるように側壁１１１ａの上側に嵌合されており、側壁１１１ａの上側の開口の縁部を覆っている。そして、図２に示されるように、この肩部材１１１ｃの下側には、保護枠１１１ｄが取り付けられている。なお、図２に示されるように、保護枠１１１ｄはフランジ部ＦＰ（後述）で肩部材１１１ｃに取り付けられており、フランジ部ＦＰは肩部材１１１ｃを外側に向かって張り出させている。
【００２３】
保護枠１１１ｄは、内鍋１３０の外周を保護すると共に肩部材１１１ｃの形状を保持する役目を担う部材であって、ポリエチレンテレフタレート（ＰＥＴ）樹脂等の形状を保ちやすい材質から形成されている。そして、この保護枠１１１ｄは、図２、図３および図６〜図９に示されるように、主に、内鍋収容部ＰＡ、フランジ部ＦＰ、支持部ＳＵおよび被嵌合部Ｃｐから形成されている。内鍋収容部ＰＡは、内鍋１３０の外周を覆う椀状の部位である。フランジ部ＦＰは、上述の通り、肩部材１１１ｃの下側に配設されており、肩部材１１１ｃの後側の枠状部位を外側に向かって張ることにより肩部材１１１ｃの後側の枠状部位の形状を保持させている。また、このフランジ部ＦＰには、図６〜図９に示されるように、左側の被嵌合部Ｃｐの前後に一対の電線案内孔ＧＰが形成されている。なお、この電線案内孔ＧＰは、フランジ部ＦＰの厚み方向に沿って延びるように形成されている。また、図８および図９に示されるように、この電線案内孔ＧＰには、サーミスタ１１４等から延びる信号線ＳＬが案内される。なお、信号線ＳＬは、図８および図９に示されるように一方の電線案内孔ＧＰの下側から上側に抜けて、被嵌合部Ｃｐの上側を通り、もう一方の電線案内孔ＧＰの上側から下側に抜けるようにして電線案内孔ＧＰに通されている。なお、上述の通り、フランジ部ＦＰの上側には肩部材１１１ｃが位置しているため、フランジ部ＦＰの上側に通された信号線ＳＬは、フランジ部ＦＰと肩部材１１１ｃとの間を通ることになる。支持部ＳＵは、肩部材１１１ｃの前側の枠状部位の後部を外側に向かって張ることにより肩部材１１１ｃの前側の枠状部位の後部の形状を保持させている。被嵌合部Ｃｐには、後述の通り、取っ手１１２の軸部１１２ｂが回動自在に嵌合される。
【００２４】
基板支持部材１１１ｅは、制御回路基板１１９を支持する共に肩部材１１１ｃの前側の部位の形状を保持する役目を担う部材であって、ポリエチレンテレフタレート（ＰＥＴ）樹脂等の形状を保ちやすい材質から形成されている。また、図６に示されるように、この基板支持部材１１１ｅには、前側に張出リブＲｂが形成されている。
【００２５】
（肩部材、保護枠および基板支持部材の締結構造）
図６および図７に示されるように、肩部材１１１ｃ、保護枠１１１ｄおよび基板支持部材１１１ｅが嵌め合わされると、肩部材１１１ｃのネジ受け柱Ｃｒが基板支持部材１１１ｅのネジ貫入部Ｐｋを通って保護枠１１１ｄのネジ受け部Ｐｂにまで達する。そして、この嵌合状態で保護枠１１１ｄのネジ受け部Ｐｂの下側からネジ（図示せず）が螺入されることによって、肩部材１１１ｃ、保護枠１１１ｄおよび基板支持部材１１１ｅが締結される。
【００２６】
以下、肩部材１１１ｃ、保護枠１１１ｄおよび基板支持部材１１１ｅの各部位の位置関係等を説明する便宜上、図６〜図８に示されるように、肩部材１１１ｃの前側に設けられる略半月状の枠状部位を前枠部Ｆｆとし、肩部材１１１ｃの後側に設けられる、外側が略方形であって内側が円形である枠状部位を後枠部Ｆｒとする。なお、上述の通り、前枠部Ｆｆの上側には操作パネル１１７が配設され、後枠部Ｆｒの開口には内鍋１３０が挿通されることになる。
【００２７】
図８から明らかなように、肩部材１１１ｃ、保護枠１１１ｄおよび基板支持部材１１１ｅが締結された状態において、保護枠１１１ｄのフランジ部ＦＰは後枠部Ｆｒの下側に位置しており、保護枠１１１ｄの支持部ＳＵは前枠部Ｆｆの後枠部側において幅方向両側に位置している。すなわち、保護枠１１１ｄのフランジ部ＦＰは肩部材１１１ｃの後枠部Ｆｒの形状を保持し、支持部ＳＵは肩部材１１１ｃの前枠部Ｆｆの後枠部側の形状を保持している。また、図６および図７から明らかなように、基板支持部材１１１ｅは、肩部材１１１ｃの前枠部Ｆｆの前側の部位に対向しており、図６に示されるように、前側に配設された張出リブＲｂによって肩部材１１１ｃの前枠部Ｆｆ前側の部位を張り出させてその部位の形状を保持している。
【００２８】
（２）取っ手
取っ手１１２は、使用者が炊飯器１００を手で持ち運ぶために設けられている部材であって、図３に示されるように本体部１１２ａおよび軸部１１２ｂから構成されている。本体部１１２ａは、略コの字状を呈している。軸部１１２ｂは、図３および図５に示されるように本体部１１２ａの両端から内側に向かって延びている。なお、この炊飯器１００において、この軸部１１２ｂは、図３および図５に示されるように、側壁１１１ａの長手方向中央の上部に形成される孔Ｐｘを通って、保護枠１１１ｄに形成される被嵌合部Ｃｐに嵌合されている。
【００２９】
（３）断熱材
断熱材は、保護枠１１１ｄの内鍋収容部ＰＡの側壁および誘導加熱コイル１１３の外周に巻き付けられており、炊飯時において内鍋１３０から生じる熱が内鍋収容部ＰＡの外側に流出するのを抑制する役割を担っている。
【００３０】
（４）誘導加熱コイル
誘導加熱コイル１１３は、内鍋１３０を誘導加熱する誘導加熱源であって、図２および図３に示されるように保護枠１１１ｄの内鍋収容部ＰＡの底壁部および側壁下端部の外側に配設されている。
【００３１】
（５）保温ヒータ
保温ヒータＨＴは、保温運転時に使用される円環状のヒータであって、図２、図４および図９に示されるように保護枠１１１ｄの内鍋収容部ＰＡの上端（フランジ部ＦＰの下端）からやや下側の部分に配設されている。
【００３２】
（６）フェライトコア組立体
フェライトコア組立体１２１は、図３および図４に示されるように誘導加熱コイル１１３の周囲に配設されている。フェライトコアは、通電時に誘導加熱コイル１１３から発生する電磁波が外部に漏れ出るのを抑制する役目を担っている。また、このフェライトコア組立体１２１においてフェライトコアを収容するフェライトコアホルダ（図示せず）には、整線部が形成されており、保温ヒータＨＴや誘導加熱コイル１１３へと延びる電源線（図示せず）がその整線部に通されている。
【００３３】
（７）サーミスタ
サーミスタ１１４は、温度センサであって、図２に示されるように、保護枠１１１ｄの内鍋収容部ＰＡの底壁部の中央部に形成された開口を通って、上方に向かって突出している。なお、このサーミスタ１１４は、コイルバネ等の付勢部材によって上方に付勢されている。すなわち、このサーミスタ１１４は、上下方向に沿って出没自在な状態とされている。また、このサーミスタ１１４は、内鍋検知センサ（図示せず）に組み込まれている。内鍋検知センサは、炊飯器内に内鍋１３０が存在するか否かを判断するためのものであって、サーミスタ１１４が下端位置まで下がると、検知信号を制御回路基板１１９のマイクロコンピュータに送信する。マイクロコンピュータは、検知信号を受信すると、炊飯器内に内鍋１３０が存在すると判断する。なお、マイクロコンピュータが、炊飯器内に内鍋１３０が存在しないと判断した場合、炊飯運転が開始されない。ところで、このサーミスタ１１４は、図２に示されるように略円盤状のカバー部材１２７によって支持されている。このカバー部材１２７は、保護枠１１１ｄの内鍋収容部ＰＡの底壁にネジ止めされている。
【００３４】
（８）送風ファン
送風ファン１１５は、上述の通り、筐体１１１の底壁１１１ｂに形成される吸気口Ｏｓの直上に、回転軸が略上下方向に沿うようにして配設されている（図２参照）。すなわち、この送風ファン１１５が駆動されると、外部の空気が吸気口Ｏｓから吸い込まれて筐体内に流入し、そのまま上方に向かって送られる。上方に向かって送られた外部の空気は、ヒートシンク１１６を通って電源回路基板１１８および制御回路基板１１９などに供給されて、それらの部材等を冷却する。
【００３５】
（９）ヒートシンク
ヒートシンク１１６は、外部の空気と効率よく熱交換を行わせる部品である。
【００３６】
（１０）操作パネル
操作パネル１１７は、炊飯器１００の運転方法を決定して実行するためのものであって、図１〜図３に示されるように、主に、パネル本体１１７ａおよび押圧ボタンＢＴ等から構成されており、上述の通り、肩部材１１１ｃの前側の上側に配設されている。
【００３７】
（１１）電源回路基板
電源回路基板１１８は、電源回路を構成する基板であって、いくつかの発熱部品を実装している。なお、この電源回路基板１１８は、図２に示されるように、後述する制御回路基板１１９と同様に筐体１１１の前側空間ＳＰｆに収容されている。
【００３８】
（１２）制御回路基板
制御回路基板１１９は、制御回路を構成する基板であって、マイクロコンピュータ等の電子部品を実装している。そして、この制御回路基板１１９は、図２に示されるように、筐体１１１の前側空間ＳＰｆにおいて、ヒートシンク１１６の上方、操作パネル１１７の下側に配設される基板支持部材１１１ｅに支持されている。
【００３９】
（１３）自動巻取式電源コードユニット
自動巻取式電源コードユニット１２０は、電源コードおよび自動巻取機構（図示せず）等から構成されており、図２に示されるように筐体１１１の後側の空間に収容されている。電源コードは、差込プラグ（図示せず）および電気線（図示せず）から構成されている。差込プラグは、電気線の先端に配設されている。電気線は、伸展自在に自動巻取機構に巻回されている。
【００４０】
２．内鍋
内鍋１３０は、上方に開口する椀状の鍋であって、肩部材１１１ｃの開口に挿通されると共に、保護枠１１１ｄの内鍋収容部ＰＡに所定の隙間をもって収容される。なお、ここで、内鍋１３０は、種々のアルミニウム合金およびステンレス合金の多層体（クラッド材）であって、誘導加熱コイル１１３によって誘導加熱され得る。
【００４１】
３．蓋体
蓋体１４０は、図１〜図３に示されるように、主に、外装体１４１、開閉ボタン１４２、圧力調整機構１４３、補強部材１４４、内蓋１４５およびレバー部材１４６から構成されており、ヒンジ機構１５０を介して本体１１０に回動自在に取り付けられている。
【００４２】
外装体１４１は、図１および図２に示されるように、略直方体状の部材であって、開閉ボタン１４２、圧力調整機構１４３およびレバー部材１４６等を収容している。なお、ここで、開閉ボタン１４２は、図１および図２に示されるように、上面が外装体１４１の上側に露出するように外装体１４１に配設されている。また、ここで、この外装体１４１は、使用時の内圧に耐えることができるように補強部材によって補強されている。さらに、この外装体１４１の下面には、着脱自在に内蓋１４５が配設されている。
【００４３】
開閉ボタン１４２は、蓋体１４０を開閉するための角丸長方形状のボタンであって、レバー部材１４６の上側に配設されている。なお、この開閉ボタン１４２は、コイルバネ（図示せず）によって上方に向かって付勢されている。
【００４４】
レバー部材１４６は、当接板部（図示せず）と、当接板部の前側から下方に延びる左右一対の延設板部（図示せず）と、各延設板部の下部から後方に向かって延びる爪部（図示せず）とから形成される金属板部材であって、外装体１４１に軸支されていると共に、当接板部の後端でコイルバネ（図示せず）によって上方に向かって付勢されている。なお、ここで、使用者によって開閉ボタン１４２が押し下げられると、開閉ボタン１４２は、レバー部材１４６の当接板部のうち回動軸の後側の部位に当接する。
【００４５】
そして、使用者が蓋体１４０を閉状態としようとするとき、使用者は開閉ボタン１４２を操作する必要がなく、そのまま蓋体１４０を本体１１０に向かって倒し込めばよい。このとき、レバー部材１４６の爪部が、肩部材１１１ｃに形成される傾斜面（図示せず）に接触しながら下方に移動していく。この間、レバー部材１４６は、コイルバネの付勢力に逆らって前方に向かって回動する。そして、爪部が、肩部材１１１ｃに形成される爪受孔（図示せず）まで達すると、コイルバネの付勢力により爪部がその爪受孔に嵌り込む。このようにして蓋体１４０が閉状態となる。一方、蓋体１４０を開状態とするとき、使用者は、開閉ボタン１４２を押し下げる。すると、開閉ボタン１４２の下端部位がレバー部材１４６の当接部に当接し、レバー部材１４６がコイルバネの付勢力に逆らって前方に向かって回動する。このとき、爪受孔に嵌り込んでいた爪部が爪受孔から引き出される。そして、ヒンジ機構１５０の付勢力により蓋体１４０が上方に持ち上げられ、蓋体１４０が開状態となる。
【００４６】
圧力調整機構１４３は、蓋体１４０が閉状態とされ圧力炊飯運転されている状態において、内鍋１３０の内部の圧力を１．０３〜１．３気圧に調整する。また、この圧力調整機構１４３は、圧力炊飯運転中、蓋体１４０を開状態としないようにレバー部材１４６の回動を規制する。なお、本実施の形態において、この圧力調整機構としては、特に限定されず、従前のものが採用されてもかまわない。
【００４７】
補強部材は、蓋体１４０の強度を高めるためのものである。なお、本実施の形態において、補強部材は、特に限定されず、金属板そのものであってもよいし、金属板を複雑形状にしたものであってもよい。
【００４８】
内蓋１４５は、図２に示されるように内鍋１３０の上部を覆って密閉するための部材である。
【００４９】
４．ヒンジ機構
ヒンジ機構１５０は、上述の通り、蓋体１４０が本体１１０に対して回動自在となるように蓋体１４０を本体１１０に取り付けている。なお、上述の通り、このヒンジ機構１５０は、蓋体１４０を開方向に向かって付勢している。
【００５０】
＜本発明の実施の形態に係る炊飯器の組立の一部＞
本発明の実施の形態に係る上記炊飯器１００の組立では、取っ手取付工程、信号線挿通工程および嵌込工程が実施される。以下、これらの工程について詳述する。
【００５１】
取っ手取付工程では、図５に示される通り、取っ手１１２の軸部１１２ｂが側壁１１１ａの孔Ｐｘに通される。
【００５２】
信号線挿通工程では、図８および図９に示される通り、保護枠１１１ｄのフランジ部ＦＰの電線案内孔ＧＰに信号線ＳＬが通される。なお、この信号線挿通工程は、取っ手取付工程の前に実施されてもよいし、取っ手取付工程の後に実施されてもよい。
【００５３】
嵌込工程は、取っ手取付工程および信号線挿通工程の後に実施される。この嵌込工程では、信号線挿通工程で得られた信号線挿通済みの保護枠に対して取っ手取付工程で得られた取っ手付側壁が嵌め込まれる。具体的には、信号線挿通済みの保護枠を天地逆にした状態で、信号線挿通済みの保護枠に取っ手付き側壁が嵌め込まれるか、取っ手付き側壁の上側から取っ手付き側壁に対して信号線挿通済みの保護枠が嵌め込まれる。そして、この際、取っ手１１２の軸部１１２ｂが保護枠１１１ｄの被嵌合部Ｃｐに嵌合されると同時にフランジ部ＦＰに対して側壁１１１ａが嵌め込まれる。
【００５４】
＜本発明の実施の形態に係る炊飯器の特徴＞
（１）
本発明の実施の形態に係る炊飯器１００では、保護枠１１１ｄのフランジ部ＦＰの電線案内孔ＧＰにより、フランジ部ＦＰと肩部材１１１ｃとの間に信号線ＳＬの一部が案内される。この結果、信号線ＳＬは、被嵌合部Ｃｐおよび保温ヒータＨＴから遠ざけられる。このため、この炊飯器１００では、信号線ＳＬの被覆材に高い耐熱性が求められず、比較的低コストの信号線ＳＬを利用することができるだけでなく、取っ手１１２の軸部１１２ｂを被嵌合部Ｃｐに嵌合する際に取っ手１１２の軸部１１２ｂと被嵌合部Ｃｐとの間に信号線ＳＬが噛み込んでしまうことを防止することができる。また、信号線ＳＬの整線が比較的堅固なフランジ部ＦＰで行われる。このため、信号線ＳＬの案内部位が崩壊等するおそれが極めて低く、信号線ＳＬの案内を安定的に保つことができる。
【００５５】
（２）
本発明の実施の形態に係る炊飯器１００では、信号線ＳＬが保護枠１１１ｄのフランジ部ＦＰの電線案内孔ＧＰによって整線され、電源線がフェライトコアホルダの整線部によって整線される。このため、この炊飯器１００では、電源線と信号線ＳＬとの間を離すことができる。このため、電源線のノイズが信号線ＳＬに影響を及ぼしにくくすることができる。
【００５６】
（３）
本発明の実施の形態に係る炊飯器１００の組立では、信号線挿通工程で得られた信号線挿通済みの保護枠に対して取っ手取付工程で得られた取っ手付側壁が嵌め込まれる。このため、取っ手１１２の軸部１１２ｂを保護枠１１１ｄのフランジ部ＦＰの被嵌合部Ｃｐに嵌合する際に取っ手１１２の軸部１１２ｂとフランジ部ＦＰの被嵌合部Ｃｐとの間に信号線ＳＬが噛み込んでしまうことを防止することができる。
【００５７】
＜変形例＞
（Ａ）
先の実施の形態に係る炊飯器１００では信号線ＳＬだけが電線案内孔ＧＰに挿通されたが、信号線ＳＬのみならず電源線を挿通してもよい。
【００５８】
（Ｂ）
先の実施の形態に係る炊飯器１００ではフランジ部ＦＰに電線案内孔ＧＰを形成し、その電線案内孔ＧＰを用いて信号線ＳＬを整線したが、フランジ部ＦＰに電線案内孔ＧＰを形成せずに、フランジ部ＦＰの下面側に電線の引っ掛け部を設けてもよい。なお、かかる場合、フランジ部ＦＰと保温ヒータＨＴとの距離を十分にとるように、フランジ部ＦＰの高さ位置を高くするか、保温ヒータＨＴの高さ位置を下げるのが好ましい。
【００５９】
（Ｃ）
先の実施の形態に係る炊飯器１００では電線案内孔ＧＰが厚み方向に沿って延びるようにフランジ部ＦＰに形成されていたが、電線案内孔ＧＰが延びる方向は特に限定されず、厚み方向に交差する方向（すなわち斜め方向）であってもかまわないし、同方向が湾曲していてもかまわない。
【００６０】
（Ｄ）
先の実施の形態に係る炊飯器１００では電線案内孔ＧＰが保護枠１１１ｄのフランジ部ＦＰの片側のみに一列形成されていたが、電線案内孔ＧＰはフランジ部の両側に設けられていてもよいし、片側または両側に二列以上形成されていてもよい。
【００６１】
（Ｅ）
先の実施の形態に係る炊飯器１００では電線案内孔ＧＰの形状が角形とされていたが、電線案内孔ＧＰの形状は特に限定されず、丸形等であってもよい。
【符号の説明】
【００６２】
１００      ：炊飯器
１１１ａ    ：側壁（外装体）
１１１ｃ    ：肩部材（上側部材）
１１１ｄ    ：保護枠
１１２      ：取っ手
１１２ｂ    ：軸部（軸）
１３０      ：内鍋
Ｃｐ        ：被嵌合部
ＦＰ        ：フランジ部
ＧＰ        ：電線案内孔（電線案内部，貫通孔）
ＰＡ        ：内鍋収容部
Ｐｘ        ：孔（軸挿通孔）
ＳＬ        ：信号線（電線，信号線）
【図１】
2020192078.tif 000003
【図２】
2020192078.tif 000004
【図３】
2020192078.tif 000005
【図４】
2020192078.tif 000006
【図５】
2020192078.tif 000007
【図６】
2020192078.tif 000008
【図７】
2020192078.tif 000009
【図８】
2020192078.tif 000010
【図９】
2020192078.tif 000011